(57)【要約】【課題】どのような接点構成のヘッドホンであっても、適切に音声再生可能とすること。【解決手段】ＤＡＰ１は、バランス出力を有し、ＬＲ２チャンネルの非反転、及び、反転のデジタル音声信号を出力するＳｏＣ２を備える。ＳｏＣ２は、ＤＡＣ６、７より、いずれか１つの増幅器に正相の正弦波を入力し、且つ、他の増幅器に逆相の正弦波を入力して、ペアとなるヘッドホンの接点を検出する。ＳｏＣ２は、検出したペアとなる接点に基づいて、ＬＲ２チャンネルの非反転、及び、反転のデジタル音声信号の構成を変更する。【選択図】図２
2018082327.tif 000002
【特許請求の範囲】
【請求項１】
バランス出力を有し、
左右２チャンネルの非反転、及び、反転のデジタル音声信号を出力する制御部を備え、
前記制御部は、左右２チャンネルの非反転、及び、反転のデジタル音声信号の構成を変更することを特徴とする音楽再生装置。
【請求項２】
前記制御部は、
左右２チャンネルの非反転、及び、反転のデジタル音声信号の構成の設定を受け付け、
受け付けた構成の設定に基づいて、左右２チャンネルの非反転、及び、反転のデジタル音声信号の構成を変更することを特徴とする請求項１に記載の音楽再生装置。
【請求項３】
前記制御部は、
ヘッドホンの接点に対するチャンネルの割り当ての設定を受け付け、
受け付けた割り当ての設定に基づいて、左右２チャンネルの非反転、及び、反転のデジタル音声信号の構成を変更することを特徴とする請求項１に記載の音楽再生装置。
【請求項４】
前記制御部が出力した２チャンネルのデジタル音声信号をアナログ音声信号に変換する第１Ｄ／Ａコンバーターと、
前記制御部が出力した２チャンネルのデジタル音声信号をアナログ音声信号に変換する第２Ｄ／Ａコンバーターと、
前記第１Ｄ／Ａコンバーターが変換したアナログ音声信号を増幅する第１増幅器と、
前記第１Ｄ／Ａコンバーターが変換したアナログ音声信号を増幅する第２増幅器と、
前記第２Ｄ／Ａコンバーターが変換したアナログ音声信号を増幅する第３増幅器と、
前記第２Ｄ／Ａコンバーターが変換したアナログ音声信号を増幅する第４増幅器と、
をさらに備え、
前記制御部は、
前記第１Ｄ／Ａコンバーター、及び、前記第２Ｄ／Ａコンバーターより、いずれか１つの増幅器に正相の正弦波を入力し、且つ、他の増幅器に逆相の正弦波を入力して、対となるヘッドホンの接点を検出し、
検出した対となる接点に基づいて、左右２チャンネルの非反転、及び、反転のデジタル音声信号の構成を変更することを特徴とする請求項１に記載の音楽再生装置。
【請求項５】
前記第４増幅器に接続された第１接点と、前記第３増幅器に接続された第２接点と、前記第１増幅器に接続された第３接点と、前記第３増幅器に接続された第４接点と、を有するジャックをさらに備え、
前記ジャックにおいて、奥側から、前記第１接点、前記第２接点、前記第３接点、前記第４接点の順であることを特徴とする請求項４に記載の音楽再生装置。
【発明の詳細な説明】
【技術分野】
【０００１】
本発明は、ヘッドホンに音声信号を出力する音楽再生装置に関する。
【背景技術】
【０００２】
近年、以前から存在する一般的な３極（Ｌ／Ｒ／ＧＮＤ）接点のヘッドホン端子に対して、より音質を重視したＬ／Ｒを個別で駆動する４極接点のヘッドホン端子に対応した、アンプ、ヘッドホンが販売されており、人気を集めている（例えば、特許文献１参照。）。ただし、４極接点の端子の接点配置は、３極接点のように各社で共通しているわけではない。このため、接点構成の異なるアンプ、ヘッドホンの組み合わせでは適切に使用できない。
【先行技術文献】
【特許文献】
【０００３】
【特許文献１】特開２０１３−００５２９１号公報
【発明の概要】
【発明が解決しようとする課題】
【０００４】
上述のように、接点構成の異なるアンプ、ヘッドホンの組み合わせでは適切に使用できないという問題がある。
【０００５】
本発明の目的は、どのような接点構成のヘッドホンであっても、適切に音声再生可能とすることである。
【課題を解決するための手段】
【０００６】
第１の発明の音楽再生装置は、バランス出力を有し、左右２チャンネルの非反転、及び、反転のデジタル音声信号を出力する制御部を備え、前記制御部は、左右２チャンネルの非反転、及び、反転のデジタル音声信号の構成を変更することを特徴とする。
【０００７】
例えば、制御部は、通常、左右２チャンネルの非反転のデジタル音声信号を一方のＤ／Ａコンバーターに出力しているとする。また、制御部は、左右２チャンネルの反転のデジタル音声信号を他方のＤ／Ａコンバーターに出力しているとする。制御部は、接続されるヘッドホンの接点構成に応じて、左右２チャンネルの非反転、及び、反転のデジタル音声信号の構成を変更する。言い換えれば、制御部は、ジャックの接点に出力される音声信号の割り当て（アサイン）を変更する。例えば、制御部は、左右２チャンネルの反転のデジタル音声信号を一方のＤ／Ａコンバーターに出力する。また、制御部は、左右２チャンネルの非反転のデジタル音声信号をＤ／Ａコンバーターに出力する。このように、本発明では、左右２チャンネルの非反転、及び、反転のデジタル音声信号の構成が変更されるため、どのような接点構成のヘッドホンであっても、適切に音声再生させることが可能である。
【０００８】
第２の発明の音楽再生装置は、第１の発明の音楽再生装置において、前記制御部は、左右２チャンネルの非反転、及び、反転のデジタル音声信号の構成の設定を受け付け、受け付けた構成の設定に基づいて、左右２チャンネルの非反転、及び、反転のデジタル音声信号の構成を変更することを特徴とする。
【０００９】
第３の発明の音楽再生装置は、第１の発明の音楽再生装置において、前記制御部は、ヘッドホンの接点に対するチャンネルの割り当ての設定を受け付け、受け付けた割り当ての設定に基づいて、左右２チャンネルの非反転、及び、反転のデジタル音声信号の構成を変更することを特徴とする。
【００１０】
本発明では、制御部は、ヘッドホンの接点に対するチャンネルの割り当ての設定を受け付け、受け付けた割り当ての設定に基づいて、左右２チャンネルの非反転、及び、反転のデジタル音声信号の構成を変更する。例えば、ユーザーは、ヘッドホンの接点に対する割り当てとして、プラグの先端から、反転の右チャンネル、非反転の右チャンネル、非反転の左チャンネル、反転の左チャンネルと設定する。ユーザーは、ヘッドホンの接点に対する割り当てを設定すれば、デジタル音声信号の構成が適切となるため、デジタル音声信号の構成を設定するための複雑な知識を必要としない。
【００１１】
第４の発明の音楽再生装置は、第１の発明の音楽再生装置において、前記制御部が出力した２チャンネルのデジタル音声信号をアナログ音声信号に変換する第１Ｄ／Ａコンバーターと、前記制御部が出力した２チャンネルのデジタル音声信号をアナログ音声信号に変換する第２Ｄ／Ａコンバーターと、前記第１Ｄ／Ａコンバーターが変換したアナログ音声信号を増幅する第１増幅器と、前記第１Ｄ／Ａコンバーターが変換したアナログ音声信号を増幅する第２増幅器と、前記第２Ｄ／Ａコンバーターが変換したアナログ音声信号を増幅する第３増幅器と、前記第２Ｄ／Ａコンバーターが変換したアナログ音声信号を増幅する第４増幅器と、をさらに備え、前記制御部は、前記第１Ｄ／Ａコンバーター、及び、前記第２Ｄ／Ａコンバーターより、いずれか１つの増幅器に正相の正弦波を入力し、且つ、他の増幅器に逆相の正弦波を入力して、対となるヘッドホンの接点を検出し、検出した対となる接点に基づいて、左右２チャンネルの非反転、及び、反転のデジタル音声信号の構成を変更することを特徴とする。
【００１２】
本発明では、制御部は、対となるヘッドホンの接点を検出し、検出した対となる接点に基づいて、左右２チャンネルの非反転、及び、反転のデジタル音声信号の構成を変更する。このため、ユーザーは、何らの操作をすることなく、デジタル音声信号の構成が適切となる。
【００１３】
第５の発明の音楽再生装置は、第４の発明の音楽再生装置において、前記第４増幅器に接続された第１接点と、前記第３増幅器に接続された第２接点と、前記第１増幅器に接続された第３接点と、前記第３増幅器に接続された第４接点と、を有するジャックをさらに備え、前記ジャックにおいて、奥側から、前記第１接点、前記第２接点、前記第３接点、前記第４接点の順であることを特徴とする。
【発明の効果】
【００１４】
本発明によれば、どのような接点構成のヘッドホンであっても、適切に音声再生させることが可能である。
【図面の簡単な説明】
【００１５】
【図１】本発明の実施形態に係るデジタルオーディオプレーヤーの構成を示すブロック図である。
【図２】ＤＡＣ、増幅器等、及びこれらの周辺回路を示す図である。
【図３】ＤＡＣ、増幅器等、及びこれらの周辺回路を示す図である。
【図４】（ａ）は、ＬＲクロックＬＲＣＫを示す図である。（ｂ）は、データＤＡＴ１を示す図である。（ｃ）は、データＤＡＴ２を示す図である。
【図５】ＤＡＣ、増幅器等、及びこれらの周辺回路を示す図である。
【図６】（ａ）は、ＬＲクロックＬＲＣＫを示す図である。（ｂ）は、データＤＡＴ１を示す図である。（ｃ）は、データＤＡＴ２を示す図である。
【図７】増幅器とヘッドホンとがバランス接続されている例を示す図である。
【発明を実施するための形態】
【００１６】
以下、本発明の実施形態について説明する。図１は、本発明の実施形態に係るデジタルオーディオプレーヤー（以下、「ＤＡＰ」という。）の構成を示すブロック図である。ＤＡＰ１（音楽再生装置）は、ヘッドホン１０１に音声信号を出力する。ヘッドホン１０１は、音声信号に基づいて、音声を外部に出力する。ヘッドホン１０１は、バランス用のヘッドホンである。ＤＡＰ１は、バランス出力を有する。
【００１７】
図１に示すように、ＤＡＰ１は、ＳｏＣ２、記憶部３、表示部４、操作部５、Ｄ／Ａコンバーター（以下、「ＤＡＣ」という。）６、７、増幅器８〜１１、無線モジュール１２、ＵＳＢインターフェース（以下、「ＵＳＢ  Ｉ／Ｆ」という。）１３を備える。
【００１８】
ＳｏＣ（System on Chip）２（制御部）は、ＣＰＵ（Central Processing Unit）、ＤＳＰ（Digital Signal Processor）、メモリ等を有し、ＤＡＰ１を構成する各部を制御する。記憶部３は、ＯＳプログラム、アプリケーションプログラム等のプログラム、デジタル音声信号等の各種データを記憶するフラッシュメモリから構成されている。なお、記憶部３は、例示する構成に限られず、ＨＤＤ（Hard Disk Drive）等を含んでいてもよい。
【００１９】
表示部４は、種々の画像（静止画像、動画像を含む）を表示するものであり、液晶パネルにより構成されている。操作部５は、各種設定を行うための操作キー、及び、表示部４と連動したタッチパネルを備えている。ユーザーは、操作部５を介して、各種の文字入力、設定などを行うことが可能である。
【００２０】
ＤＡＣ６、７は、２チャンネルのデジタル音声信号をアナログ音声信号にＤ／Ａ変換する。増幅器８〜１１は、アナログ音声信号を増幅する。増幅器８〜１１により増幅されたアナログ音声信号は、ヘッドホン１０１に出力される。ヘッドホン１０１は、アナログ音声信号に基づいて、音声を出力する。無線モジュール１２は、Ｂｌｕｅｔｏｏｔｈ（登録商標）規格、Ｗｉ−Ｆｉ規格に従った無線通信を行うためのものである。ＵＳＢ  Ｉ／Ｆ１３は、ＵＳＢ規格に従った通信を行うためのものである。
【００２１】
図２は、ＤＡＣ６、７、増幅器８〜１１等、及びこれらの周辺回路を示す図である。図２に示すように、ＤＡＰ１は、さらに、ジャック１４を備える。ジャック１４は、接点１〜４を有する。ジャック１４の奥側（左側）から、接点１（第１接点）、接点２（第２接点）、接点３（第３接点）、接点４（第４接点）の順である。接点１は、増幅器１１に接続されている。接点２は、増幅器９に接続されている。接点３は、増幅器８に接続されている。接点４は、増幅器１０に接続されている。例えば、図３に示す先端から、Ｒ−、Ｒ＋、Ｌ＋、Ｌ−のプラグ１０２がジャック１４に接続された場合、接点１は、Ｒ−に接触する。接点２は、Ｒ＋に接続する。接点３は、Ｌ＋に接触する。接点４は、Ｌ−に接触する。
【００２２】
ＳｏＣ２は、ＤＡＣ６、７にＩ２Ｓ信号を出力する。ＳｏＣ２は、ＤＡＣ６に、マスタークロックＭＣＫ、ビットクロックＢＣＫ、ＬＲクロックＬＲＣＫ、データ（音声信号）ＤＡＴ１を出力する。ＳｏＣ２は、ＤＡＣ７に、マスタークロックＭＣＫ、ビットクロックＢＣＫ、ＬＲクロックＬＲＣＫ、データＤＡＴ２を出力する。図４（ａ）は、ＬＲクロックＬＲＣＫを示す図である。図４（ｂ）は、データＤＡＴ１を示す図である。図４（ｃ）は、データＤＡＴ２を示す図である。
【００２３】
ジャック１４に接続されるプラグが、図３に示す先端から、Ｒ−、Ｒ＋、Ｌ＋、Ｌ−のプラグ１０２である場合、ＳｏＣ２は、図４（ｂ）に示すように、データＤＡＴ１として、非反転のＬ（左）チャンネルデジタル音声信号（Ｌ＋）、非反転のＲ（右）チャンネルデジタル音声信号（Ｒ＋）をＤＡＣ６に出力する。ＳｏＣ２は、図４（ｃ）に示すように、データＤＡＴ２として、反転のＬ（左）チャンネルデジタル音声信号（Ｌ−）、反転のＲ（右）チャンネルデジタル音声信号（Ｒ−）をＤＡＣ７に出力する。
【００２４】
ＤＡＣ６（第１Ｄ／Ａコンバーター）は、非反転のＬＲ２チャンネルのデジタル音声信号を、アナログ音声信号にＤ／Ａ変換する。ＤＡＣ６は、非反転のＬチャンネルアナログ音声信号を、増幅器８に出力する。ＤＡＣ６は、非反転のＲチャンネルアナログ音声信号を、増幅器９に出力する。ＤＡＣ７（第２Ｄ／Ａコンバーター）は、反転のＬＲ２チャンネルのデジタル音声信号を、アナログ音声信号にＤ／Ａ変換する。ＤＡＣ７は、反転のＬチャンネルアナログ音声信号を、増幅器１０に出力する。ＤＡＣ７は、反転のＲチャンネルアナログ音声信号を、増幅器１１に出力する。
【００２５】
増幅器８（第１増幅器）は、非反転のＬチャンネルアナログ音声信号を増幅する。増幅器９（第２増幅器）は、非反転のＲチャンネルアナログ音声信号を増幅する。増幅器１０（第３増幅器）は、反転のＬチャンネルアナログ音声信号を増幅する。増幅器１１（第４増幅器）は、反転のＲチャンネルアナログ音声信号を増幅する。ジャック１４の接点３は、増幅器８に接続されている。このため、ジャック１４の接点３には、非反転のＬチャンネルアナログ音声信号が出力される。ジャック１４の接点２は、増幅器９に接続されている。このため、ジャック１４の接点２には、非反転のＲチャンネルアナログ音声信号が出力される。ジャック１４の接点４は、増幅器１０に接続されている。このため、ジャック１４の接点４には、反転のＬチャンネルアナログ音声信号が出力される。ジャック１４の接点１は、増幅器１１に接続されている。このため、ジャック１４の接点１には、反転のＲチャンネルアナログ音声信号が出力される。
【００２６】
ジャック１４にプラグ１０２が接続されている場合、プラグ１０２のＬ＋は、接点３に接触している。このため、プラグ１０２のＬ＋に、非反転のＬチャンネルアナログ音声信号が出力される。プラグ１０２のＲ＋は、接点２に接触している。このため、プラグ１０２のＲ＋に、非反転のＲチャンネルアナログ音声信号が出力される。プラグ１０２のＬ−は、接点４に接触している。このため、プラグ１０２のＬ−には、反転のＬチャンネルアナログ音声信号が出力される。プラグ１０２のＲ−は、接点１に接触している。このため、プラグ１０２のＲ−には、反転のＲチャンネルアナログ音声信号が出力される。このようにして、ＤＡＰ１からヘッドホン１０１にアナログ音声信号が出力され、ヘッドホン１０１から音声が出力される。
【００２７】
ジャック１４に接続されるプラグが、図５に示す先端から、Ｒ＋、Ｒ−、Ｌ−、Ｌ＋のプラグ１０３である場合、ＳｏＣ２は、図６（ｂ）に示すように、データＤＡＴ１として、反転のＬ（左）チャンネルデジタル音声信号（Ｌ−）、反転のＲ（右）チャンネルデジタル音声信号（Ｒ−）をＤＡＣ６に出力する。ＳｏＣ２は、図６（ｃ）に示すように、データＤＡＴ２として、非反転のＬ（左）チャンネルデジタル音声信号（Ｌ＋）、非反転のＲ（右）チャンネルデジタル音声信号（Ｒ＋）をＤＡＣ７に出力する。
【００２８】
ＤＡＣ６は、反転のＬＲ２チャンネルのデジタル音声信号を、アナログ音声信号にＤ／Ａ変換する。ＤＡＣ６は、反転のＬチャンネルアナログ音声信号を、増幅器８に出力する。ＤＡＣ６は、反転のＲチャンネルアナログ音声信号を、増幅器９に出力する。ＤＡＣ７は、非反転のＬＲ２チャンネルのデジタル音声信号を、アナログ音声信号にＤ／Ａ変換する。ＤＡＣ７は、非反転のＬチャンネルアナログ音声信号を、増幅器１０に出力する。ＤＡＣ７は、非反転のＲチャンネルアナログ音声信号を、増幅器１１に出力する。
【００２９】
増幅器８は、反転のＬチャンネルアナログ音声信号を増幅する。増幅器９は、反転のＲチャンネルアナログ音声信号を増幅する。増幅器１０は、非反転のＬチャンネルアナログ音声信号を増幅する。増幅器１１は、非反転のＲチャンネルアナログ音声信号を増幅する。ジャック１４の接点３は、増幅器８に接続されている。このため、ジャック１４の接点３には、反転のＬチャンネルアナログ音声信号が出力される。ジャック１４の接点２は、増幅器９に接続されている。このため、ジャック１４の接点２には、反転のＲチャンネルアナログ音声信号が出力される。ジャック１４の接点４は、増幅器１０に接続されている。このため、ジャック１４の接点４には、非反転のＬチャンネルアナログ音声信号が出力される。ジャック１４の接点１は、増幅器１１に接続されている。このため、ジャック１４の接点１には、非反転のＲチャンネルアナログ音声信号が出力される。
【００３０】
ジャック１４にプラグ１０３が接続されている場合、プラグ１０３のＬ−は、接点３に接触している。このため、プラグ１０３のＬ−に、反転のＬチャンネルアナログ音声信号が出力される。プラグ１０３のＲ−は、接点２に接触している。このため、プラグ１０３のＲ−に、反転のＲチャンネルアナログ音声信号が出力される。プラグ１０３のＬ＋は、接点４に接触している。このため、プラグ１０３のＬ＋には、非反転のＬチャンネルアナログ音声信号が出力される。プラグ１０３のＲ＋は、接点１に接触している。このため、プラグ１０３のＲ＋には、非反転のＲチャンネルアナログ音声信号が出力される。このようにして、ＤＡＰ１からヘッドホン１０１にアナログ音声信号が出力され、ヘッドホン１０１から音声が出力される。
【００３１】
ここで、ＳｏＣ２は、操作部５を介して、デジタル音声信号の構成の設定を受け付ける。ＳｏＣ２は、受け付けた構成の設定に基づいて、ＤＡＣ６、７に出力するデジタル音声信号の構成を変更する。言い換えれば、ＳｏＣ２は、ジャック１４の接点１〜４に出力される音声信号の割り当て（アサイン）を変更する。また、ＳｏＣ２は、操作部５を介して、ヘッドホン（プラグ）の接点に対するチャンネルの割り当て（アサイン）の設定を受け付け、受け付けた割り当ての設定に基づいて、デジタル音声信号の構成を変更する。例えば、ユーザーは、接点に対するチャンネルの割り当てを、先端から、反転のＲチャンネル（Ｒ−）、非反転のＲチャンネル（Ｒ＋）、非反転のＬチャンネル（Ｌ＋）、反転のＬチャンネル（Ｌ−）と設定する。この場合、ＳｏＣ２は、図４に示す構成のデジタル音声信号をＤＡＣ６、７に出力する。
【００３２】
ＤＡＰ１は、さらに、ジャック１４に接続されるプラグの接点Ｌ＋、Ｌ−のペア（対）、接点Ｒ＋、Ｒ−のペア（対）を検出する機能を有する。図７は、増幅器８〜１１とヘッドホンとがバランス接続されている例を示す図である。抵抗記号は、ヘッドホンのＬ、又は、Ｒのインピーダンスを示している。例えば、ＳｏＣ２は、ＤＡＣ６より、増幅器８に正相の正弦波を入力する。また、ＳｏＣ２は、ＤＡＣ６、７より、他の増幅器９〜１１に逆相の正弦波を入力する。逆相のペアになった増幅器９、１１からは、ヘッドホンに電力が出力されない。このため、それぞれの増幅器９、１１の電源には、ヘッドホン出力のための電流が流れない。一方で、正相／逆相のペアになった増幅器８、１０には、ヘッドホンに供給される電力分の電流が、増幅器８、１０の電源に供給されることになる。従って、ＳｏＣ２は、これらの電流差を検出することで、出力の＋／−のペアを検出する。ＳｏＣ２は、検出したペアとなる接点に基づいて、デジタル音声信号の構成を変更する。ＳｏＣ２は、ペアとなる接点に対して、非反転及び反転のＬチャンネルアナログ音声信号（Ｌ＋、Ｌ−）、非反転及び反転のＲチャンネルアナログ音声信号（Ｒ＋、Ｒ−）が出力されるように、デジタル音声信号の構成を変更する。
【００３３】
例えば、ＳｏＣ２は、通常、図３、及び、図４に示すように、ＬＲ２チャンネルの非反転のデジタル音声信号を、ＤＡＣ６に出力しているとする。また、ＳｏＣ２は、ＬＲ２チャンネルの反転のデジタル音声信号をＤＡＣ７に出力しているとする。この場合、接点１に割り当てられる音声信号は、反転のＲチャンネルアナログ音声信号（Ｒ−）となる。接点２に割り当てられる音声信号は、非反転のＲチャンネルアナログ音声信号（Ｒ＋）となる。接点３に割り当てられる音声信号は、非反転のＬチャンネルアナログ音声信号（Ｌ＋）となる。接点４に割り当てられる音声信号は、反転のＬチャンネルアナログ音声信号（Ｌ−）となる。
【００３４】
ＳｏＣ２は、接続されるヘッドホンの接点構成に応じて、ＬＲ２チャンネルの非反転、及び、反転のデジタル音声信号の構成を変更する。言い換えれば、ＳｏＣ２は、ジャック１４の接点１〜４に出力される音声信号の割り当て（アサイン）を変更する。例えば、ＳｏＣ２は、図５、及び、図６に示すように、ＬＲ２チャンネルの反転のデジタル音声信号をＤＡＣ６に出力する。また、ＳｏＣ２は、ＬＲ２チャンネルの非反転のデジタル音声信号をＤＡＣ７に出力する。この場合、接点１に割り当てられる音声信号は、非反転のＲチャンネルアナログ音声信号（Ｒ＋）となる。接点２に割り当てられる音声信号は、反転のＲチャンネルアナログ音声信号（Ｒ−）となる。接点３に割り当てられる音声信号は、反転のＬチャンネルアナログ音声信号（Ｌ−）となる。接点４に割り当てられる音声信号は、非反転のＬチャンネルアナログ音声信号（Ｌ＋）となる。
【００３５】
このように、本実施形態では、ＬＲ２チャンネルの非反転、及び、反転のデジタル音声信号の構成が変更されるため、どのような接点構成のヘッドホンであっても、適切に音声再生させることが可能である。
【００３６】
また、本実施形態では、ＳｏＣ２は、ヘッドホン（プラグ）の接点に対するチャンネルの割り当ての設定を受け付け、受け付けた割り当ての設定に基づいて、ＬＲ２チャンネルの非反転、及び、反転のデジタル音声信号の構成を変更する。例えば、ユーザーは、ヘッドホンの接点に対するチャンネルの割り当てとして、プラグの先端から、反転のＲチャンネル（Ｒ−）、非反転のＲチャンネル（Ｒ＋）、非反転のＬチャンネル（Ｌ＋）、反転のＬチャンネル（Ｌ−）と設定する。ユーザーは、ヘッドホンの接点に対する割り当てを設定すれば、デジタル音声信号の構成が適切となるため、デジタル音声信号の構成を設定するための複雑な知識を必要としない。
【００３７】
また、本実施形態では、ＳｏＣ２は、ペアとなるヘッドホン（プラグ）の接点を検出し、検出したペアとなる接点に基づいて、ＬＲ２チャンネルの非反転、及び、反転のデジタル音声信号の構成を変更する。このため、ユーザーは、何らの操作をすることなく、デジタル音声信号の構成が適切となる。
【００３８】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００３９】
上述の実施形態においては、デジタル音声信号の構成を変更する態様として、ＳｏＣ２が、ＤＡＣ６に非反転のＬＲ２チャンネルのデジタル音声信号、又は、反転のＬＲ２チャンネルのデジタル音声信号を出力し、ＤＡＣ７に反転のＬＲ２チャンネルのデジタル音声信号、又は、非反転のＬＲ２チャンネルのデジタル音声信号を出力する態様を説明したが、これに限られない。
【００４０】
上述の実施形態においては、音楽再生装置として、ＤＡＰを例示した。これに限らず、スマートフォン、タブレットＰＣ、ＵＳＢ  ＤＡＣ、ヘッドホンアンプ等であってもよい。
【産業上の利用可能性】
【００４１】
本発明は、ヘッドホンに音声信号を出力する音楽再生装置に好適に採用され得る。
【符号の説明】
【００４２】
１  ＤＡＰ（音楽再生装置）
２  ＳｏＣ（制御部）
６  ＤＡＣ（第１Ｄ／Ａコンバーター）
７  ＤＡＣ（第２Ｄ／Ａコンバーター）
８  増幅器（第１増幅器）
９  増幅器（第２増幅器）
１０  増幅器（第３増幅器）
１１  増幅器（第４増幅器）
１４  ジャック
１０１  ヘッドホン
１０２  プラグ
１０３  プラグ
【図１】
2018082327.tif 000003
【図２】
2018082327.tif 000004
【図３】
2018082327.tif 000005
【図４】
2018082327.tif 000006
【図５】
2018082327.tif 000007
【図６】
2018082327.tif 000008
【図７】
2018082327.tif 000009